【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
形状係数が０．９４〜０．９８の範囲にあり、ナトリウム含有量が蛍光Ｘ線測定によるｎｅｔ強度において０〜０．２０の範囲であり、かつ、アルミニウム含有量が蛍光Ｘ線測定によるｎｅｔ強度において０．０２〜０．３０の範囲であり、且つ２８℃／８５％ＲＨの環境に３日間放置した後における含水率が１．５質量％以下であることを特徴とする静電潜像現像用トナー。
【請求項２】
結晶性ポリエステル樹脂を含み、フローテスターによる１／２降下温度が８５℃以上１１５℃以下であることを特徴とする請求項１に記載の静電潜像現像用トナー。
【請求項３】
ポリエステル樹脂、着色剤及び離型剤と、下記（１）、（２）及び（３）を満たす化合物と、を含有することを特徴とする請求項１または２に記載の静電潜像現像用トナー。
（１）酸価が２００〜５００ｍｇＫＯＨ／ｇの範囲
（２）重量平均分子量が１５００〜６５００の範囲
（３）酸成分を構成する重合性単量体として、アクリル酸、マレイン酸のいずれかを含み、かつその他の重合性単量体として、スチレン、メチルスチレンのいずれかを含む重合性単量体を重合した重合体。
【請求項４】
トナーを含み、該トナーが請求項１〜３のいずれか１項に記載の静電潜像現像用トナーであることを特徴とする静電潜像現像剤。
【請求項５】
キャリアを含み、該キャリアの形状係数ＳＦ１が１１５〜１４０の範囲であることを特徴とする請求項４に記載の静電潜像現像剤。
【請求項６】
トナーが少なくとも収められ、該トナーが請求項１〜３のいずれか１項に記載の静電潜像現像用トナーであることを特徴とするトナーカートリッジ。
【請求項７】
現像剤保持体を少なくとも備え、請求項４に記載の静電潜像現像剤を収めることを特徴とするプロセスカートリッジ。
【請求項８】
潜像保持体と、該潜像保持体上に形成された静電潜像を現像剤によりトナー像として現像する現像手段と、潜像保持体上に形成されたトナー像を被転写体上に転写する転写手段と、被転写体上に転写されたトナー像を定着する定着手段と、を有し、前記現像剤が請求項４に記載の静電潜像現像剤であることを特徴とする画像形成装置。
【手続補正２】
【補正対象書類名】明細書
【補正対象項目名】００２１
【補正方法】変更
【補正の内容】
【００２１】
上記課題は、以下の本発明により達成される。
すなわち請求項１に係る発明は、形状係数が０．９４〜０．９８の範囲にあり、ナトリウム含有量が蛍光Ｘ線測定によるｎｅｔ強度において０〜０．２０の範囲であり、かつ、アルミニウム含有量が蛍光Ｘ線測定によるｎｅｔ強度において０．０２〜０．３０の範囲であり、且つ２８℃／８５％ＲＨの環境に３日間放置した後における含水率が１．５質量％以下であることを特徴とする静電潜像現像用トナーである。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】変更
【補正の内容】
【００２５】
請求項４に係る発明は、トナーを含み、該トナーが請求項１〜３に記載の静電潜像現像用トナーである静電潜像現像剤である。
【手続補正５】
【補正対象書類名】明細書
【補正対象項目名】００２６
【補正方法】変更
【補正の内容】
【００２６】
請求項５に係る発明は、キャリアを含み、該キャリアの形状係数ＳＦ１が１１５〜１４０の範囲である請求項４に記載の静電潜像現像剤である。
【手続補正６】
【補正対象書類名】明細書
【補正対象項目名】００２７
【補正方法】変更
【補正の内容】
【００２７】
請求項６に係る発明は、トナーが少なくとも収められ、該トナーが請求項１〜３に記載の静電潜像現像用トナーであるトナーカートリッジである。
【手続補正７】
【補正対象書類名】明細書
【補正対象項目名】００２８
【補正方法】変更
【補正の内容】
【００２８】
請求項７に係る発明は、現像剤保持体を少なくとも備え、請求項４に記載の静電潜像現像剤を収容するプロセスカートリッジである。
【手続補正８】
【補正対象書類名】明細書
【補正対象項目名】００２９
【補正方法】変更
【補正の内容】
【００２９】
請求項８に係る発明は、像保持体と、該像保持体上に形成された静電荷像を現像剤によりトナー像として現像する現像手段と、像保持体上に形成されたトナー像を被転写体上に転写する転写手段と、被転写体上に転写されたトナー像を定着する定着手段と、を有し、前記現像剤が請求項４に記載の静電荷像現像剤である画像形成装置である。
【手続補正９】
【補正対象書類名】明細書
【補正対象項目名】００３０
【補正方法】変更
【補正の内容】
【００３０】
本発明の請求項１に係る発明によれば、帯電特性が良好で、かつ、定着可能範囲の広い静電潜像現像用トナーを提供することができる。
請求項２に係る発明によれば、さらに低温定着条件で画像形成を行うことができる静電潜像現像用トナーを提供することができる。
請求項３に係る発明によれば、帯電特性が良好で、かつ、画質欠陥のない画像形成が可能な静電潜像現像用トナーを提供することができる。
請求項４に係る発明によれば、帯電特性が良好な静電潜像現像剤を提供することができる。
請求項５に係る発明によれば、さらに耐久性に優れた静電潜像現像剤を得ることができる。
請求項６に係る発明によれば、帯電特性が良好な静電荷像現像用トナーの供給を容易にし、該特性の維持性を高めることができる。
請求項７に係る発明によれば、帯電特性が良好な静電荷像現像剤の取り扱いを容易にし、種々の構成の画像形成装置への適応性を高めることができる。
請求項８に係る発明によれば、定着温度領域が広く画質欠陥のない画像形成を維持することができる。
【手続補正１０】
【補正対象書類名】明細書
【補正対象項目名】００３１
【補正方法】変更
【補正の内容】
【００３１】
以下、本発明を詳細に説明する。
＜静電潜像現像用トナー＞
本発明の静電潜像現像用トナーは、形状係数が０．９４〜０．９８の範囲にあり、ナトリウム含有量が蛍光Ｘ線測定によるｎｅｔ強度において０〜０．２０の範囲であり、かつ、アルミニウム含有量が蛍光Ｘ線測定によるｎｅｔ強度において０．０２〜０．３０の範囲であり、且つ２８℃／８５％ＲＨの環境に３日間放置した後における含水率が１．５質量％以下であることを特徴とする。
また、本発明の静電潜像現像用トナーは、ポリエステル樹脂、着色剤及び離型剤と、下記（１）、（２）及び（３）を満たす化合物と、を含有することが望ましい。
（１）酸価が２００〜５００ｍｇＫＯＨ／ｇの範囲
（２）重量平均分子量が１５００〜６５００の範囲
（３）酸成分を構成する重合性単量体として、アクリル酸、マレイン酸のいずれかを含み、かつその他の重合性単量体として、スチレン、メチルスチレンのいずれかを含む重合性単量体を重合した重合体である。
【手続補正１１】
【補正対象書類名】明細書
【補正対象項目名】０１４２
【補正方法】変更
【補正の内容】
【０１４２】
乾燥後のトナー粒子は、２８℃／８５％ＲＨの環境下に３日間放置した後における含水率が１．５質量％以下であり、１．０質量％以下であることがより望ましい。含水率が上記範囲であることにより、高湿度条件下でトナーの帯電量が低下せず、湿度変化によるトナーの帯電特性が安定化できる。
なお、トナー含水率の測定は、トナー２ｇを２８℃、湿度８５％ＲＨの環境下に２４時間放置した後、ハロゲンモイスチュアアナライザー（メトラー・トレド社製）を用いて加熱温度１５０℃での水分蒸発量を測定することによって行うことができる。